(57)【要約】【課題】ミラー装置とシャッタユニットとを可能な限り近接配置する。【解決手段】メインミラーユニット１１とサブミラーユニット１２とを含むミラー装置１０がダウン状態にあるときに、サブミラーユニット１２の先端がシャッタ地板２１の開口ＡＰ内に挿入される。またこのとき、サブミラーユニット１２の先端面は、閉状態にある後幕シャッタ羽根群２３のスリット形成羽根ＢＬ１の開方向端部（図示上端部）よりも閉方向側（図示下方）に位置にするので、後幕シャッタ羽根群２３が上方に走行する際に、その上端がサブミラーユニット１２の先端面に引っ掛かることはない。【選択図】図３
2007127762.tif 000002
【特許請求の範囲】
【請求項１】
撮影光束を反射および透過するメインミラーユニット、および該メインミラーユニットの射出面側に保持され、メインミラーユニットの透過光束を反射するサブミラーユニットを有し、両ミラーユニットが撮影光路に挿入されるダウン状態と撮影光路から退避するアップ状態との間で移動可能なミラー装置と、
撮影用の開口が形成され前記ミラー装置の後方に配置されるシャッタ地板、該シャッタ地板の後方に配置される後幕および先幕シャッタ羽根群を有し、これらのシャッタ羽根群を駆動して前記開口を開閉するシャッタユニットとを備えた一眼レフカメラにおいて、
前記ミラー装置が前記ダウン状態にあるときに、前記サブミラーユニットの先端部が前記シャッタ地板の開口内に挿入されるよう、前記ミラー装置とシャッタユニットの撮影光軸方向の位置を定めたことを特徴とする一眼レフカメラ。
【請求項２】
前記後幕シャッタ羽根群は、前記シャッタ地板と前記先幕シャッタ羽根群との間に設けられ、前記ミラー装置がダウン状態に駆動されたとき、前記サブミラーユニットの前記開口に挿入された部分の先端面が、閉状態にある後幕シャッタ羽根群のスリット形成羽根の開方向端部よりも閉方向側に位置にするようにしたことを特徴とする請求項１に記載の一眼レフカメラ。
【請求項３】
前記シャッタユニットの後方には、光学フィルタ、および該光学フィルタの透過光束を受光して光電変換する撮像素子を含む撮像ユニットが配置されていることを特徴とする請求項１または２に記載の一眼レフカメラ。
【請求項４】
前記シャッタ羽根群を駆動するアームと、該アームを羽根に連結するピンとを有し、前記サブミラーユニットの先端には、前記アームまたはピンとの接触を避けるための逃げ部が形成されていることを特徴とする請求項１〜３のいずれかに記載の一眼レフカメラ。
【発明の詳細な説明】
【技術分野】
【０００１】
本発明は一眼レフカメラに関し、ミラー装置とシャッタユニットとの配置を工夫したものである。
【背景技術】
【０００２】
例えば図１４に示すように、一眼レフカメラは、メインミラーユニット１１１およびサブミラーユニット１１２を含むミラー装置１１０と、その背後に配置されるシャッタユニット（フォーカルプレーンシャッタ）１２０とを有する。不図示の撮影レンズを透過した被写体光束は、一部がメインミラーユニット１１１で上方に反射され、ファインダ光学系１４０に導かれる。また一部の被写体光束はメインミラーユニット１１１を透過し、サブミラーユニット１１２で下方に反射され、不図示の焦点検出モジュールに導かれる。撮影開始指示がなされると、ミラー装置１１０が跳ね上げられるとともに、シャッタユニット１２０が開閉し、被写体光束はシャッタユニット１２０を通ってフィルム面１０３に至る。
【０００３】
図１４はフィルムカメラ（銀塩カメラ）を示したが、図１５はデジタル一眼レフカメラを示している。デジタルカメラの場合は、シャッタユニット１２０の後方に、撮像素子１３１や光学フィルタ１３２などを一体化して成る撮像ユニット１３０が配置される。
【０００４】
メインミラーユニットの回動軸部はシャッタ近傍に位置するため、回動軸部とシャッタユニットとの干渉を避けるために、シャッタ地板に切欠きを設けたカメラが知られている（例えば、特許文献１参照）。
【０００５】
【特許文献１】特開平９−９０４６８号公報
【発明の開示】
【発明が解決しようとする課題】
【０００６】
カメラ内の狭いスペースにミラー装置１１０とシャッタユニット１２０とを配置するにあたっては、両者を可能な限り近接配置することが望ましい。しかし、上述したサブミラーユニット１１２はメインミラーユニット１１１の射出面側に保持され、シャッタ側への突出量が比較的大きいため、サブミラーユニット１１２の先端１１２ａとシャッタユニット１２０との干渉が問題となる。特許文献１には、この問題を解決するための案は開示されていない。
【０００７】
上述の問題は、例えば次のようなケースで発生する。
図１４，図１５にフィルムカメラとデジタルカメラとを示したが、フィルムカメラで使用可能な交換レンズをデジタルカメラでもそのまま使用できるようにすれば、双方のカメラを保有するユーザ、あるいはフィルムからデジタルに乗り換えるユーザにとって非常に好都合である。そのためには、デジタルカメラのレンズマウント面１０１から撮像面１０２までの距離Ｄ２（図１５）を、フィルムカメラのマウント面１０１からフィルム面１０３までの距離Ｄ１（図１４）とほぼ等しくする必要がある。因みに図１４，図１５では、Ｄ２≒Ｄ１とはなっていない。
【０００８】
フィルムカメラは撮像ユニット１３０がない分だけ、Ｄ１の間にミラー装置１１０とシャッタ１２０とを十分な間隔を空けて配置できた。一方、デジタルカメラの場合は撮像ユニット１３０があり、撮像面１０２の前方に撮像素子のカバーガラスや光学フィルタ１３２といった厚みのある部品が存在し、その分だけシャッタユニット１２０を前方に出さざるを得ない。一方、ミラー装置１１０に関しては、これを前方に出すと、ファインダ光路長を確保するためにファインダ位置を高くするなどの措置が必要となり、得策ではない。このため、ミラー位置を変えずにＤ２≒Ｄ１を満足しなければならず、そうなるとシャッタユニット１２０の配置が厳しくなる。光学フィルタを薄くする、あるいは枚数を減らすという方法が考えられるが、画質の低下につながるので採用し難い。
【課題を解決するための手段】
【０００９】
本発明は、撮影光束を反射および透過するメインミラーユニット、およびメインミラーユニットの射出面側に保持され、メインミラーユニットの透過光束を反射するサブミラーユニットを有し、両ミラーユニットが撮影光路に挿入されるダウン状態と撮影光路から退避するアップ状態との間で移動可能なミラー装置と、撮影用の開口が形成されミラー装置の後方に配置されるシャッタ地板、シャッタ地板の後方に配置される後幕および先幕シャッタ羽根群を有し、これらのシャッタ羽根群を駆動して上記開口を開閉するシャッタユニットとを備えた一眼レフカメラに適用され、ミラー装置がダウン状態にあるときに、サブミラーユニットの先端部がシャッタ地板の開口内に挿入されるよう、ミラー装置とシャッタユニットの撮影光軸方向の位置を定めたことを特徴とする。
請求項２の発明では、後幕シャッタ羽根群は、シャッタ地板と先幕シャッタ羽根群との間に設けられ、ミラー装置がダウン状態に駆動されたとき、サブミラーユニットの上記開口に挿入された部分の先端面が、閉状態にある後幕シャッタ羽根群のスリット形成羽根の開方向端部よりも閉方向側に位置にする。
請求項３の発明では、シャッタユニットの後方に、光学フィルタおよび光学フィルタの透過光束を受光して光電変換する撮像素子を含む撮像ユニットが配置されている。
請求項４の発明は、シャッタ羽根群を駆動するアームと、アームを羽根に連結するピンとを有し、サブミラーユニットの先端には、アームまたはピンとの接触を避けるための逃げ部が形成されている。
【発明の効果】
【００１０】
本発明によれば、ミラー装置がダウン状態にあるときに、サブミラーユニットのシャッタユニット側端部がシャッタ地板の開口内に挿入されるようにしたので、従来と比べてミラー装置とシャッタユニットの近接配置が可能となる。
【発明を実施するための最良の形態】
【００１１】
図１〜図１１により本発明の一実施の形態を説明する。
図１は本実施形態におけるデジタル一眼レフカメラの正面図であり、１はカメラボディ、１ａはレリーズボタン、１ｂはレンズマウントである。
【００１２】
図２は図１のＡ−Ａ線断面図、図３はその要部拡大図である。カメラボディ１内にはミラー装置１０が設けられ、その後方にシャッタユニット（フォーカルプレーンシャッタ）２０が、更にその後方に撮像ユニット３０が設けられる。ミラー装置１０は、メインミラーユニット１１とサブミラーユニット１２とから成る。メインミラーユニット１１は、メインミラー本体およびその保持枠などから成り、軸１ｃを介してカメラボディ１に回動可能に支持されている。サブミラーユニット１２は、サブミラー本体およびその保持枠などから成り、メインミラーユニット１１に回動可能に支持されている。ミラー動作（アップ・ダウン）については後述する。
【００１３】
図３〜図５において、シャッタユニット２０は、前後のシャッタ地板２１，２２、その間に支持された複数のシャッタ羽根ＢＬ、羽根駆動用の複数のアームＡＭ等から成る。複数のシャッタ羽根ＢＬにより、ミラー装置１０側に位置する後幕シャッタ羽根群２３と、撮像ユニット３０側に位置する先幕シャッタ羽根群２４とが構成される。シャッタ羽根ＢＬのうち、特に後幕シャッタ羽根群２３のスリット形成羽根（最下段の羽根）をＢＬ１で表す。またＰＮは、アームＡＭ同士、またはアームＡＭと羽根ＢＬとを回転可能に連結するかしめピンである。シャッタ地板２１，２２には、撮像ユニット３０に導く光束を規定する撮影用開口（以下、アパーチャ）ＡＰが形成され、羽根群２３，２４はアパーチャＡＰを開放・閉塞すべく縦方向に走行する。
【００１４】
撮像ユニット３０は、ＣＣＤなどの撮像素子３１、光学フィルタ３２、撮像基板などを一体化して成る。図の破線は撮像素子３１の撮像面（受光面）を示し、その前面に撮像素子３１のカバーガラスや光学フィルタ３２が位置する。光学フィルタ３２は、例えばローパスフィルタや赤外カットフィルタなどを重ね合わせて成る。
【００１５】
図６〜図１１を参照して撮影時の動作を説明する。
図６は撮影待機時の状態を示し、ミラー装置１０はダウン状態にあり、先幕シャッタ羽根群２４は閉状態、後幕シャッタ羽根群２３は開状態にある。このとき、マウント１ｂに装着された撮影レンズの透過光束は、一部がメインミラーユニット１１で上方に反射され、ファインダ光学系４０（図２）を介して観察される。一方、メインミラーユニット１１を透過した一部の光束は、サブミラーユニット１２で下方に反射され、焦点検出光として不図示の焦点検出モジュールに導かれる。
【００１６】
レリーズボタン１ａが全押し操作されると、図７に示すようにメインミラーユニット１１が回動するとともに、これに連動してサブミラーユニット１２も回動し、いずれも撮影光路から退避する（いわゆるミラーアップが行われる）。次いで、図８に示すように先幕シャッタ羽根群２４がＣ２方向に走行してアパーチャＡＰを開放し、撮影光束はアパーチャＡＰを通って撮像ユニット３０に入射する。その入射光は光学フィルタ３２を透過して撮像素子３１の受光面に受光され、露光（撮像）が行われる。設定シャッタ秒時に応じた時間が経過すると、図９に示すように後幕シャッタ羽根群２３がＣ２方向に走行し、アパーチャＡＰを閉塞する。これにて露光終了となる。
【００１７】
その後、図１０に示すようにミラーダウンが行われ、次いでシャッタチャージが行われる。シャッタチャージは、図６のように後幕シャッタ羽根群２３を開状態、先幕シャッタ羽根群２４を閉状態に復帰させる動作であるが、図１１はその途中の状態を示している。
【００１８】
図３の拡大図は、ミラー装置１０のダウン直後で、シャッタチャージ開始前の状態を示している。この図からよく分かるように、ミラーダウン状態ではサブミラーユニット１２の先端が前側シャッタ地板２１のアパーチャＡＰに入り込んでいる。このようにすることで、シャッタユニット２０とミラー装置１０とを従来より近づけて配置でき、限られたスペースの中でミラー装置１０、シャッタユニット２０、撮像ユニット３０を問題なく配置できる。
【００１９】
特に近年では、ＡＦ性能の向上を図るために、多くの焦点検出エリアを画面の広範囲に渡って配置するようになってきている。この場合、焦点検出光の幅を決定するサブミラーユニット１２は、焦点検出エリアを中央に集中配置する場合と比べて大型のものが必要となる。大型のサブミラーユニット１２は後方への突出量も多くなるから、従来と同様の配置方法では対応できず、課題の欄で述べたような問題が発生する。本実施形態では、サブミラーユニット１２の先端が前側シャッタ地板２１のアパーチャＡＰに入り込むように、ミラー装置１０およびシャッタユニット２０の撮影光軸方向の位置を定めたので、大型のサブミラーユニット１２を採用したデジタル一眼レフカメラにおいても、背景技術で述べたＤ２≒Ｄ１を満足し、かつミラー装置１０の位置を変えずに３ユニット１０〜３０を問題なく配置できる。さらに、撮像ユニット３０に設けられる光学フィルタ３２を薄くしたり、枚数を減らす必要もないので、画質を犠牲にすることもない。
【００２０】
ここで、図３の状態では、サブミラーユニット１２の先端と後幕シャッタ羽根群２３とが近接しているが、ミラー装置１０および後幕シャッタ羽根群２３が完全に停止していると仮定した場合、両者の間にＳ２の間隔が確保され、両者が接触することはない。しかし、ミラーダウン直後は、ミラー装置１０がまだ静止せずにばたついており、このときサブミラーユニット１２の先端が後幕シャッタ羽根群２３と接触するおそれがある。単なる接触であれば問題はないが、問題となるのは、この直後に行われるシャッタチャージ、つまり後幕シャッタ羽根群２３のＣ１方向への走行時に、スリット形成羽根ＢＬ１の上端がサブミラーユニット１２の先端面１２ａに引っ掛かり、その状態で羽根が上昇することで羽根を損傷させるおそれがあることである。
【００２１】
図１２はこの問題が起き得る例を示している。
サブミラーユニット１１２の先端面１１２ａが、スリット形成羽根ＢＬ１の上端面ＢＬ１ａよりもＣＬ１だけ上方に位置している。ミラー装置１１０のばたつきにより、サブミラーユニット１１２の先端面１１２ａがスリット形成羽根ＢＬ１の移動軌跡に入り込んだとき、上昇する羽根ＢＬ１の上端ＢＬ１ａがサブミラーユニット１２の先端に引っ掛かるおそれがある。
【００２２】
これに対して本実施形態では、図３に示すように、ミラーダウン状態でかつ後幕シャッタ羽根群２３がまだ閉状態にあるときに、サブミラーユニット１２の先端面１２ａが、スリット形成羽根ＢＬ１の上端面（開方向の端面）ＢＬ１ａよりもＳ１だけ下方（閉方向側）に位置するような配置となっている。このようにすることで、スリット形成羽根ＢＬが上昇してもその上端ＢＬ１ａがサブミラーユニット１２の先端に引っ掛かることはなく、サブミラーユニット１２による羽根ＢＬ１の損傷を防止できる。羽根ＢＬ１の表面がサブミラーユニット１２の先端を摺動することはあり得るが、その程度では羽根の損傷には至らない。なお、スリット形成羽根ＢＬ１が安全であれば、それより上側の羽根ＢＬも安全であることはいうまでもない。
【００２３】
以上はサブミラーユニット１２と後幕シャッタ羽根群２３との接触について説明したが、サブミラーユニット１２との接触が懸念される部材として、図５に示した羽根駆動用のアームＡＭおよびかしめピンＰＮがある。これらは羽根駆動時に、羽根駆動方向と平行な面内において移動するが、いずれもスリット形成羽根ＢＬ１よりもミラー装置側に突出しているため、サブミラーユニット１２の先端との距離は、図３におけるＳ２よりも更に短くなる。特にかしめピンＰＮとサブミラーユニット１２との距離はより短い。従来のサブミラーユニットは、図１３に１１２で示すように略矩形形状であったため、本実施形態のようにミラー装置１１０とシャッタユニット１２０とを近接配置すると、サブミラーユニット１２の先端角部１１２ｂがかしめピンＰＮの移動軌跡内に入り込み、羽根駆動に支障を来すおそれがある。
【００２４】
これに対して本実施形態では、図４に示すようにサブミラーユニット１２（具体的にはサブミラー保持枠）の角部を斜めにカットすることで、ミラー装置１０とシャッタユニット２０とを近接配置しても、サブミラーユニット１２がかしめピンの移動軌跡に入り込まないようになっている。したがって、後幕シャッタ羽根群２３の走行に何ら影響を及ぼすことはない。
【００２５】
なお、サブミラーユニットの反射光を焦点検出光として用いる例を示したが、測光やその他の目的で用いてもよい。また、本発明はデジタル一眼レフカメラに特に効果的であるが、カメラの小型化を目的とすればフィルムカメラにも適用可能である。
【図面の簡単な説明】
【００２６】
【図１】本発明の一実施形態におけるデジタル一眼レフカメラの正面図。
【図２】図１のＡ−Ａ線断面図。
【図３】図２の要部拡大図。
【図４】サブミラーユニットおよびシャッタユニットを図３のＢ２方向から見た図。
【図５】シャッタユニットの後幕シャッタ羽根群の構造を示す図。
【図６】ミラー装置およびシャッタユニットの動作を説明する図で、撮影待機状態を示す。
【図７】図６と同様の図で、ミラーアップ直後の状態を示す。
【図８】図６と同様の図で、シャッタ開放直後の状態を示す。
【図９】図６と同様の図で、シャッタ閉塞直後の状態を示す。
【図１０】図６と同様の図で、ミラーダウン直後の状態を示す。
【図１１】図６と同様の図で、シャッタチャージ途中の状態を示す。
【図１２】図３に対応する図で、サブミラーユニットによるシャッタ羽根破損が起こり得る例（比較例）を示す。
【図１３】図４に対応する図で、サブミラーユニットがかしめピンと干渉し得る例（比較例）を示す。
【図１４】従来のフィルム一眼レフカメラの構造を示す図。
【図１５】従来のデジタル一眼レフカメラの構造を示す図。
【符号の説明】
【００２７】
１０  ミラー装置
１１  メインミラーユニット
１２  サブミラーユニット
１２ａ  サブミラーユニットの先端面
２０  シャッタユニット
２１，２２  シャッタ地板
２３  後幕シャッタ羽根群
２４  先幕シャッタ羽根群
３０  撮像ユニット
３１  撮像素子
３２  光学フィルタ
ＡＭ  羽根駆動用のアーム
ＢＬ  シャッタ羽根
ＢＬ１  スリット形成羽根
ＢＬ１ａ  スリット形成羽根の上端面
ＰＮ  かしめピン
【図１】
2007127762.tif 000003
【図２】
2007127762.tif 000004
【図３】
2007127762.tif 000005
【図４】
2007127762.tif 000006
【図５】
2007127762.tif 000007
【図６】
2007127762.tif 000008
【図７】
2007127762.tif 000009
【図８】
2007127762.tif 000010
【図９】
2007127762.tif 000011
【図１０】
2007127762.tif 000012
【図１１】
2007127762.tif 000013
【図１２】
2007127762.tif 000014
【図１３】
2007127762.tif 000015
【図１４】
2007127762.tif 000016
【図１５】
2007127762.tif 000017